(57)【要約】【課題】冬季、夏季を通して建物内の湿度を動力負荷を増大させることなく、一定に保持できる換気装置および換気方法を提供する。【解決手段】調湿材が収容された調湿機２と、建物１内に取り入れる外気と建物１内から取り出す室内空気との熱交換を行う熱交換器３と、熱交換された外気を調湿機２内の調湿材に接触させたうえ建物内に取り入れる取入れ経路４と、熱交換された室内空気を調湿機２内の調湿材に接触させたうえで外部に放出する放出経路５とを備えた構成とする。【選択図】図１
2005164184.tif 000002
【特許請求の範囲】
【請求項１】
建物内に新鮮な外気を取り入れるとともに、建物内の室内空気を取り出して外部に放出する換気装置において、
吸湿機能を有し、吸湿後は乾燥した空気と接触することによって放湿して再生可能な調湿材が収容された調湿機と、
前記建物内に取り入れる外気と建物内から取り出す室内空気との熱交換を行う熱交換器と、
前記熱交換器によって熱交換された外気を前記調湿機内の調湿材に接触させたうえで建物内に取り入れる取入れ経路と、
前記熱交換器によって熱交換された室内空気を前記調湿機内の調湿材に接触させたうえで外部に放出する放出経路とを備えたことを特徴とする換気装置。
【請求項２】
請求項１に記載の換気装置において、
前記調湿機は、前記調湿材が収容される収容室が周方向に沿って複数設けられた回転式容器を備え、
この回転式容器は、それぞれの収容室が、吸湿側から放湿側へ、または放湿側から吸湿側へ順次配置されるように回転することを特徴とする換気装置。
【請求項３】
請求項１に記載の換気装置において、
前記調湿機は、前記調湿材が収容される複数の収容室を備え、
放湿側の収容室と吸湿側の収容室との間で調湿材が前記取入れ経路および放出経路を利用して移送可能であることを特徴とする換気装置。
【請求項４】
請求項１〜３のいずれか一項に記載の換気装置において、
前記取入れ経路は前記放出経路と同圧または放出経路より高圧に設定されていることを特徴とする換気装置。
【請求項５】
請求項１〜４のいずれか一項に記載の換気装置を用いて、冬季において建物内を換気する換気方法であって、
前記外気を前記熱交換器による室内空気との熱交換によって温度上昇させることにより、該外気の湿度を低めたうえで、この外気を前記調湿材に接触させ、この調湿材から放湿させることによって、外気を加湿したうえで建物内に前記取入れ経路を通して取り入れ、
一方、前記建物内から取り出した室内空気を前記熱交換器による外気との熱交換によって温度低下させることにより、該室内空気の湿度を高めたうえで、この室内空気を前記調湿材に接触させ、この調湿材が吸湿することによって、室内空気を除湿したうえで外部に前記放出経路を通して放出することを特徴とする換気方法。
【請求項６】
請求項１〜４のいずれか一項に記載の換気装置を用いて、夏季において建物内を換気する換気方法であって、
前記外気を前記熱交換器による室内空気との熱交換によって温度低下させることにより、該外気の湿度を高めたうえで、この外気を前記調湿材に接触させ、この調湿材が吸湿することによって、外気を除湿したうえで建物内に前記取入れ経路を通して取り入れ、
一方、前記建物内から取り出した室内空気を前記熱交換器による外気との熱交換によって温度上昇させることにより、該室内空気の湿度を低めたうえで、この室内空気を前記調湿材に接触させ、この調湿材から放湿させることによって、室内空気を加湿したうえで外部に前記放出経路を通して放出することを特徴とする換気方法。
【請求項７】
請求項５または６に記載の換気方法において、
前記調湿材から放湿させる際に、この調湿材に接触させる空気を加熱し、また、前記調湿材に吸湿させる際に、この調湿材に接触させる空気を冷却することを特徴とする換気方法。
【発明の詳細な説明】
【技術分野】
【０００１】
本発明は、建物内に新鮮な外気を取り入れるとともに、建物内の室内空気を取り出して外部に放出するような、例えば２４時間換気システムに用いて好適な換気装置および換気方法に関する。
【背景技術】
【０００２】
換気システムの一例として、特許文献１に記載の技術が知られている。この換気システムに使用されるセントラル換気装置は、換気ユニット本体に連通する外部吸入配管と、この外部吸入配管から吸入された空気を換気ユニット本体を介して建物内部の複数の室内に供給する室内供給配管と、その室内供給配管が配置された室内と同一フロアの室内の空気を換気ユニット本体に吸入する室内吸入口と、この室内吸入口から吸入された空気を外部に排気するために換気ユニット本体から外部まで連通する外部排気配管とを備えている。そして、このセントラル換気装置では、建物内に新鮮な外気を取り入れるとともに、建物内の室内空気を取り出して外部に放出するようになっている。
【０００３】
また、前記セントラル換気装置では、室内側に位置する室内吸入口から吸入されて外部排気配管から室外に排出される空気と、室外側に位置する外部吸入配管から吸入されて室内供給配管から室内に供給される空気との間で、熱交換をする熱交換部を備えている。このため、室内を暖房した状態において、室内吸入口及び外部排気配管を介して室内から室外に排気される暖かい空気は、熱交換部により熱が吸収され、その吸収された熱は、外部吸入配管から室内に吸い込まれる室外の冷たい空気に加えられる。そして、室内には、室内供給配管を介して室外より温度が高い空気が送られることとなり、暖房状態における熱効率の低下を抑えることができる。一方、室内を冷房した状態において、外部吸入配管及び室内供給配管を介して室外から室内に吸い込まれた暖かい空気は、熱交換部により熱が吸収され、その吸収された熱は、冷やされた室内から室外に排出される空気に加えられる。これにより、室内には、室外より温度が低い空気が送られることとなり、冷房状態における熱効率の低下を抑えることができる。
【特許文献１】特開１１−３５１６３３号公報
【発明の開示】
【発明が解決しようとする課題】
【０００４】
ところで、上記のようなセントラル換気装置を備えた換気システムでは、外部の新鮮な空気は、熱交換されたうえで建物内に取り入れられるが、冬季においては外気が乾燥しているため、この外気によって建物内の湿度が低下してしまい、インフルエンザウイルス等の生存率が高くなったり、静電気が生じ易いという不具合がある。このため、別途加湿器等によって室内を加湿する場合もあり、建物内の湿度を一定に保持するのに手間がかかる。
また、夏季においては、外気の湿度が高いため、この外気によって建物内の湿度が上昇してしまうので、湿度を低下させるために、冷房装置の動力負荷を大きくする必要が生じ、動力負荷が増大するばかりか、冷房装置の冷却器の表面に結露が生じ易くなり、カビや悪臭の発生原因となる。
【０００５】
本発明は、上記事情に鑑みてなされたものであり、冬季、夏季を通して建物内の湿度を動力負荷を増大させることなく、一定に保持できる換気装置および換気方法を提供することを課題としている。
【課題を解決するための手段】
【０００６】
上記課題を解決するために、請求項１に記載の発明は、例えば図１に示すように、建物１内に新鮮な外気を取り入れるとともに、建物１内の室内空気を取り出して外部に放出する換気装置において、
吸湿機能を有し、吸湿後は乾燥した空気と接触することによって放湿して再生可能な調湿材が収容された調湿機２と、
前記建物１内に取り入れる外気と建物１内から取り出す室内空気との熱交換を行う熱交換器３と、
前記熱交換器３によって熱交換された外気を前記調湿機２内の調湿材に接触させたうえで建物１内に取り入れる取入れ経路４と、
前記熱交換器３によって熱交換された室内空気を前記調湿機２内の調湿材に接触させたうえで外部に放出する放出経路５とを備えたことを特徴とする。
【０００７】
請求項１に記載の発明によれば、冬季においては、外気を前記熱交換器３による室内空気との熱交換によって温度上昇させることにより、該外気の湿度を低めたうえで、この外気を前記調湿材に接触させて、この調湿材から放湿させることによって、外気を加湿したうえで建物１内に前記取入れ経路４を通して取り入れ、一方、前記建物１内から取り出した室内空気を前記熱交換器３による外気との熱交換によって温度低下させることにより、該室内空気の湿度を高めたうえで、この室内空気を前記調湿材に接触させて、この調湿材が吸湿することによって、建物１内から取り出した室内空気を除湿したうえで外部に前記放出経路５を通して放出する。つまり、建物１内から取り出された室内空気を調湿材の吸湿機能によって除湿し、この調湿材に吸収された湿気によって建物１内に取り入れる外気を加湿することになるので、建物１内の湿度低下を防止して、建物１内の湿度を一定に保持できる。
一方、夏季においては、外気を前記熱交換器３による室内空気との熱交換によって温度低下させることにより、該外気の湿度を高めたうえで、この外気を前記調湿材に接触させて、この調湿材が吸湿することによって、外気を除湿したうえで建物１内に前記取入れ経路４を通して取り入れ、一方、前記建物１内から取り出した室内空気を前記熱交換器３による外気との熱交換によって温度上昇させることにより、該室内空気の湿度を低めたうえで、この室内空気を前記調湿材に接触させて、この調湿材から放湿させることによって、室内空気を加湿したうえで外部に前記放出経路５を通して放出する。つまり、建物１内から取り出された室内空気を調湿材の放湿機能によって加湿し、この湿気が放出されて乾燥した調湿材の吸湿機能によって建物内に取り入れる外気を除湿することになるので、建物１内の湿度上昇を防止して、建物１内の湿度を一定に保持できる。
したがって、従来のように別途加湿器を設置したり、冷房装置の動力負荷を大きくすることなく、冬季、夏季を通して建物内の湿度を一定に保持できる。
【０００８】
請求項２に記載の発明は、例えば図１および図２に示すように、請求項１に記載の換気装置において、
前記調湿機２は、前記調湿材が収容される収容室２２ａ，２２ｂが周方向に沿って複数設けられた回転式容器２２を備え、
この回転式容器２２は、それぞれの収容室２２ａ，２２ｂが、吸湿側から放湿側へ、または放湿側から吸湿側へ順次配置されるように回転することを特徴とする。
【０００９】
ここで、吸湿側とは、冬季においては、熱交換器によって熱交換された室内空気を調湿材に接触させて吸湿するための乾燥した調湿材が配置される側であり、夏季においては、熱交換器によって熱交換された外気を調湿材に接触させて吸湿するための乾燥した調湿材が配置される側である。
一方、放湿側とは、冬季においては、熱交換器によって熱交換された外気を調湿材に接触させて放湿するための湿った調湿材が配置される側であり、夏季においては、熱交換器によって熱交換された室内空気を調湿材に接触させて放湿するための湿った調湿材が配置される側である。
【００１０】
請求項２に記載の発明によれば、回転式容器２２はそれぞれの収容室２２ａ，２２ｂが吸湿側から放湿側へ、または放湿側から吸湿側へ順次配置されるように回転するので、吸湿側の収容室２２ａ（２２ｂ）においては湿気を吸湿して調湿材が湿潤状態となり、放湿側の収容室２２ｂ（２２ａ）においては湿気を放湿して調湿材が乾燥状態となり再生する。したがって、調湿材を効果的に繰り返して使用できる。また、回転式容器２２は、それぞれの収容室２２ａ，２２ｂが、吸湿側から放湿側へ、または放湿側から吸湿側へ順次配置されるように回転するので、調湿機２を小型化ができ、メンテナンス等も容易である。
【００１１】
請求項３に記載の発明は、例えば図９に示すように、請求項１に記載の換気装置において、
前記調湿機３２は、前記調湿材が収容される複数の収容室３２ａ，３２ｂを備え、
放湿側の収容室３２ａ（３２ｂ）と吸湿側の収容室３２ｂ（３２ａ）との間で調湿材が前記取入れ経路３４および放出経路３５を利用して移送可能であることを特徴とする。
【００１２】
ここで、放湿側の収容室３２ａ（３２ｂ）と吸湿側の収容室３２ｂ（３２ａ）との間で調湿材を取入れ経路３４および放出経路３５を利用して移送可能とするには、例えば、前記放出経路３５と取入れ経路３４とにそれぞれエジェクタ３６，３７を接続し、これらエジェクタ３６，３７にそれぞれ収容室３２ａ，３２ｂを接続する。また、収容室３２ａ，３２ｂは竜巻のような風流を発生させるサイクロン式のものとし、この収容室３２ａ，３２ｂで空気と粉状の調湿材を竜巻のような風流で接触させ、さらに高速回転で遠心分離する。分離された調湿材はエジェクタ３６，３７に供給され、他方の収容室３２ｂ，３２ａに圧縮空気によって移送される。
取入れ経路３４を流れる外気は、調湿材の移送中にこの調湿材と接触して加湿（冬季）または除湿（夏季）される。また、放出経路３５を流れる室内空気は、調湿材の移送中にこの調湿材と接触して除湿（冬季）または加湿（夏季）される。
【００１３】
請求項３に記載の発明によれば、放湿側の収容室３２ａ（３２ｂ）と吸湿側の収容室３２ｂ（３２ａ）との間で調湿材が移送可能であるので、吸湿側の収容室３２ｂ（３２ａ）において湿気を吸湿して湿潤状態となった調湿材は、放湿側の収容室３２ａ（３２ｂ）に移送され、この放湿側の収容室３２ａ（３２ｂ）において湿気を放出して調湿材が乾燥状態となり再生し、この再生した調湿材が吸湿側の収容室３２ｂ（３２ａ）に移送される。したがって、調湿材を効果的に繰り返して使用できる。
【００１４】
請求項４に記載の発明は、例えば図１に示すように、請求項１〜３のいずれか一項に記載の換気装置において、
前記取入れ経路４は前記放出経路５と同圧または放出経路５より高圧に設定されていることを特徴とする。
【００１５】
請求項４に記載の発明によれば、取入れ経路４は前記放出経路５と同圧または放出経路５より高圧に設定されているので、調湿機２内において、取入れ経路４を通る新鮮な外気に、放出経路５を通る室内空気が流入して混ざるのを防止でき、よって、新鮮な外気を確実に建物１内に取入れることができる。
【００１６】
請求項５に記載の発明は、例えば図３および図４に示すように、請求項１〜４のいずれか一項に記載の換気装置を用いて、冬季において建物内を換気する換気方法であって、
前記外気を前記熱交換器３による室内空気との熱交換によって温度上昇させることにより、該外気の湿度を低めたうえで、この外気を前記調湿材に接触させ、この調湿材から放湿させることによって、外気を加湿したうえで建物１内に前記取入れ経路４を通して取り入れ、
一方、前記建物１内から取り出した室内空気を前記熱交換器３による外気との熱交換によって温度低下させることにより、該室内空気の湿度を高めたうえで、この室内空気を前記調湿材に接触させ、この調湿材が吸湿することによって、前記室内空気を除湿したうえで外部に前記放出経路５を通して放出することを特徴とする。
【００１７】
請求項５に記載の発明によれば、冬季において、建物１内から取り出された室内空気を調湿材の吸湿機能によって除湿し、この調湿材に吸収された湿気によって建物１内に取り入れる外気を加湿することによって、建物１内の湿度低下を防止して、建物１内の湿度を一定に保持できる。
【００１８】
請求項６に記載の発明は、例えば図５および図６に示すように、請求項１〜４のいずれか一項に記載の換気装置を用いて、夏季において建物内を換気する換気方法であって、
前記外気を前記熱交換器３による室内空気との熱交換によって温度低下させることにより、該外気の湿度を高めたうえで、この外気を前記調湿材に接触させ、この調湿材が吸湿することによって、外気を除湿したうえで建物１内に前記取入れ経路４を通して取り入れ、
一方、前記建物１内から取り出した室内空気を前記熱交換器３による外気との熱交換によって温度上昇させることにより、該室内空気の湿度を低めたうえで、この室内空気を前記調湿材に接触させ、この調湿材から放湿させることによって、前記室内空気を加湿したうえで外部に前記放出経路５を通して放出することを特徴とする。
【００１９】
請求項６に記載の発明によれば、夏季において、建物１内から取り出された室内空気を調湿材の放湿機能によって加湿し、この湿気が放出されて乾燥した調湿材の吸湿機能によって建物１内に取り入れる外気を除湿することによって、建物１内の湿度上昇を防止して、建物１内の湿度を一定に保持できる。
【００２０】
請求項７に記載の発明は、例えば図３〜図６に示すように、請求項５または６に記載の換気方法において、
前記調湿材から放湿させる際に、この調湿材に接触させる空気を加熱し、また、前記調湿材に吸湿させる際に、この調湿材に接触させる空気を冷却することを特徴とする。
【００２１】
調湿材に接触させる空気を加熱するには、例えば、別途ヒータ（加熱器７，１０）を設置して、このヒータによって加熱してもよいし、建物に設置するエアーコンディショナーの廃熱等によって加熱してもよい。廃熱を利用することによって、省エネルギー化を図ることができる。また、調湿材に接触させる空気を冷却するには、例えば、冷却器７´，１０´を設置して、この冷却器器７´，１０´によって冷却してもよい。
【００２２】
請求項７に記載の発明によれば、調湿材に接触させる空気を加熱することによって相対湿度を下げ、調湿材からの放湿を促進できるので、この調湿材を素早く乾燥させて再生でき、また、調湿材に接触させる空気を冷却することによって相対湿度を上げ、調湿材への吸湿を促進できる。
【発明の効果】
【００２３】
本発明によれば、換気装置を、調湿材が収容された調湿機と、外気と室内空気との熱交換を行う熱交換器と、熱交換された外気を調湿材に接触させ、この外気の湿度を調整したうえで、この外気を建物内に取り入れる取入れ経路と、熱交換された室内空気を調湿材に接触させ、外部に放出する放出経路とを備えているので、冬季においては、外気を室内空気との熱交換によって温度上昇させることにより、該外気の湿度を低めたうえで、この外気を調湿材に接触させ、この調湿材から放湿させることによって、外気を加湿したうえで建物内に取り入れ、一方、室内空気を外気との熱交換によって温度低下させることにより、該室内空気の湿度を高めたうえで、この室内空気を調湿材に接触させて、この調湿材が吸湿することによって、前記室内空気を除湿したうえで外部に放出することによって、建物内の湿度低下を防止して、建物内の湿度を一定に保持できる。
一方、夏季においては、外気を室内空気との熱交換によって温度低下させることにより、該外気の湿度を高めたうえで、この外気を調湿材に接触させて、この調湿材が吸湿することによって、外気を除湿したうえで建物内に取り入れ、一方、室内空気を外気との熱交換によって温度上昇させることにより、該室内空気の湿度を低めたうえで、この室内空気を調湿材に接触させて、この調湿材から放湿させることによって、前記室内空気を加湿したうえで外部に放出することによって、建物内の湿度上昇を防止して、建物内の湿度を一定に保持できる。
【００２４】
したがって、従来のように別途加湿器を設置したり、冷房装置の動力負荷を大きくすることなく、冬季、夏季を通して建物内の湿度を一定に保持できる。このため、建物内の生活環境を向上させることができ、建物の耐久性の向上も図ることができる。
また、冬季は建物内の湿度の低下を防止できるので、インフルエンザウイルス等の生存率を低く維持管理できる。特に夏季にあっては、冷房装置等の空調システムの動力負荷を低減できるので、省エネルギー化を図ることができる。
さらに、本発明の換気装置は、調湿材が収容された調湿機と、熱交換器と、取入れ経路と、放出経路とを備えた簡単な構成であるので、コストを低く抑えることができるとともに、あらゆる空調システムに組み込むことができ、特に２４時間換気空調システムに組み込んで有効なものとなる。
【発明を実施するための最良の形態】
【００２５】
以下、図面を参照して本発明の実施の形態について説明する。
図１は本発明に係る換気装置の一例を示す概略構成図である。
この図１に示す換気装置は、建物１内に新鮮な外気を取り入れるとともに、建物１内の室内空気を取り出して外部に放出するものであり、調湿機２と、熱交換器３と、取入れ経路４と、放出経路５とを備えている。
【００２６】
調湿機２は、吸湿機能を有し、吸湿後は乾燥した空気と接触することによって放湿して再生可能な調湿材が収容されるものであり、以下のようなロータリー式のものである。
すなわち、調湿機２は、図２に示すように、外側のケーシング２１と、このケーシング２１内に軸回りに回転可能に設けられた回転式容器２２と、この回転式容器２２を回転させるモータ２３とを備えている。
回転式容器２２は、収容室２２ａと収容室２２ｂとを備えており、これら収容室２２ａ，２２ｂは周方向に沿って設けられている。これら収容室２２ａ，２２ｂにはそれぞれ調湿材が装填されている。
ケーシング２１の上面には、１つの流入口２４ａと１つの流出口２５ｂが形成され、下面には、１つの流出口２４ｂと１つの流入口２５ａが形成されている。そして、流入口２４ａと流出口２４ｂとが軸方向に対向して設けられ、流入口２５ａと流出口２５ｂとが軸方向に対向して設けられている。
また、回転式容器２２の上面には、１つの流入口２６ａと１つの流出口２７ｂが形成され、下面には、１つの流出口２６ｂと１つの流入口２７ａが形成されている。そして、流入口２６ａと流出口２６ｂが軸方向に対向して設けられ、流入口２７ａと流出口２７ｂとが軸方向に対向して設けられている。
さらに、回転式容器２２の流入口２６ａ，２７ａおよび流出口２６ｂ，２７ｂにはそれぞれフィルター２８が設けられており、回転式容器２２内に充填されている調湿材の流出を防止している。
このように、回転式容器２２内で、外気の流れと室内空気の流れとを反対方向とすることで、調湿材が回転式容器２２内で層になって硬くなるのを防止でき、よって、空気抵抗の増加を防止できる。
【００２７】
そして、前記流入口２４ａと流出口２４ｂとがほぼ同軸に形成されており、流入口２５ａと流出口２５ｂとがほぼ同軸に形成されている。また、回転式容器２２は、１８０度ごとに回転して停止するようになっており、停止した位置において、回転式容器２２の流入口２６ａおよび流出口２６ｂが、ケーシング２１の流入口２４ａおよび流出口２４ｂと同軸に配置されるか、またはケーシング２１の流入口２５ａおよび流出口２５ｂと同軸に配置されるようになっている。
さらに、回転式容器２２の流入口２６ａおよび流出口２６ｂが、ケーシング２１の流入口２４ａおよび流出口２４ｂと同軸に配置される場合には、回転式容器２２の流入口２７ａおよび流出口２７ｂが、ケーシング２１の流入口２５ａおよび流出口２５ｂと同軸に配置されるようになっている。逆に、回転式容器２２の流入口２６ａおよび流出口２６ｂが、ケーシング２１の流入口２５ａおよび流出口２５ｂと同軸に配置される場合には、回転式容器２２の流入口２７ａおよび流出口２７ｂが、ケーシング２１の流入口２４ａおよび流出口２４ｂと同軸に配置されるようになっている。
つまり、調湿機２の回転式容器２２は、それぞれの収容室２２ａ，２２ｂが、吸湿側から放湿側へ、または放湿側から吸湿側へ順次配置されるようにモータ２３によって回転するようになっている。
【００２８】
また、ケーシング２１の流入口２４ａおよび流出口２４ｂには、取入れ経路４を構成するダクトが接続され、流入口２５ａおよび流出口２５ｂには、放出経路５を構成するダクトが接続されている。
【００２９】
前記調湿材としては、熱による機能再生の可能な物質、例えば、有機物／無機物と無機塩（物理的吸着機能を有する系）、有機物／無機物と無機塩とアミン（物理的吸着機能と化学的吸着機能とを有する系）、その他、吸湿吸臭機能を有する物質が使用可能である。また、調湿材は、粉末状や多孔質粒子状等、通気性を保持し得る態様で使用される。調湿材として、粉体を使用することによって、表面積の増大が図れ、その表面積を有効に利用して吸湿を効率よく行わせ、かつ、再生（放湿）も効率よく行わせることができる。しかも、粉体として、以下のような低温再生（放湿）が可能であり高い吸湿性能を有する調湿材を使用することができる。
この調湿材は、カーボンブラックに無機金属塩を添着してなるものである。ここでカーボンブラックに無機金属塩を添着するとは次の状態を意味する。カーボンブラックは通常カーボンブラック粒子が凝集した構造をとっているが、これを無機金属塩の溶液に混合すると、カーボンブラックの凝集塊の隙間に浸透する。その後、溶媒を除去することによりカーボンブラック凝集塊の内部および表面に無機金属塩が分散された状態となる。
カーボンブラックと無機金属塩の上記複合体とすることにより、調湿効果を一層高めることができる。すなわち無機金属塩単独で、例えば温度２５℃、湿度９０％の雰囲気中に置くと、短時間でべたべたした状態になる。しかし、本調湿材は、無機金属塩がカーボンブラックの凝集塊の表面および内部に添着された複合体であるので、べたべたすることがなく、さらに長時間に亘り調湿効果を維持することができる。
カーボンブラックは特に制限はないが、たとえばＳＡＦ、ＩＳＡＦ−ＬＳ、ＩＳＡＦ−ＨＭ、ＩＳＡＦ−ＬＭ、ＩＳＡＦ−ＨＳ、ＣＦ、ＳＣＦ、ＥＰＣ、ＭＰＣ、ＨＡＦ−ＬＳ−ＳＣ、ＨＡＦ−ＬＳ、ＨＡＦ、ＨＡＦ−ＨＳ、ＳＰＦ、ＦＦ、ＸＣＦ、ＦＥＦ−ＬＳ、ＦＥＦ、ＦＥＦ−ＨＳ、ＨＭＦ、ＧＢＦ、ＡＢＦ、ＳＲＦ−ＬＭ、ＳＲＦ−ＬＭ−ＮＳ、ＳＲＦ−ＨＭ、ＳＲＦ−ＨＭ−ＭＳ、ＭＰＦ、ＦＴ、ＭＴ−ＮＳ、ＭＴ等が使用できる。さらにアセチレンブラック、たとえばデンカブラック粒状、粉末状等が使用できる。
また、無機金属塩は特に制限はなく、たとえば無機金属塩は塩化ナトリウム、炭酸ナトリウム、炭酸水素ナトリウム、硝酸ナトリウム、硫酸ナトリウム、塩化カリウムおよび塩化カルシウム等のアルカリ金属あるいはアルカリ土類金属の塩が好適に用いられる。
無機金属塩はカーボンブラックに添着される割合、すなわち添着率は、調湿材に対して５０質量％未満が好ましい。より好ましくは４０質量％未満である。
ここで添着率は次のように定義される。
添着率＝[無機金属塩添着量/（カーボンブラック量＋無機金属塩添着量）]×１００（％）
【００３０】
上記のような調湿材の吸湿能力は、表１に示すように、試料質量１．００ｋｇに対して、温度２５℃、湿度９０％の条件下で吸湿させた後の試料質量は、２．１２２ｋｇとなっており、これを、温度２５℃、湿度５５％、無風２４時間の条件下で試料質量は１．０５８ｋｇ（殆ど元の質量）まで回復する特性を備えており、熱風を用いて再生（放湿）すると、再生時間を著しく短縮できる。また、調湿材は、吸臭性能をも有しており、その再生性能も既存品より優れている。
【表１】
2005164184.tif 000003
【００３１】
また、前記調湿材の吸湿と放湿（再生）の繰返し実験を行った。その結果を表２と図７のグラフに示す。
この結果から明らかなように、本調湿材は吸湿と放湿とを繰り返して行っても、その能力は持続することが判る。
【表２】
2005164184.tif 000004
【００３２】
さらに、前記調湿材の湿度による水分吸着量変化を調べた。その結果を図８のグラフに示す。このグラフに示すように、本調湿材は、吸湿側においては湿度７０％を超えると、吸湿能力が急激に高くなり、放湿側においては湿度６０％以下にすることで、乾燥した状態となって再生することが判る。
【００３３】
前記熱交換器３は、建物１内に取り入れる外気と建物１内から取り出す室内空気との熱交換を行うものであり、建物内から取り出された室内空気と、外気とを混合させることなく、熱の移動のみを行うことができるものであればどのような構成のものでもよい。例えば、内部に蛇行した通路が形成されたケースと、このケースの通路に挿通された蛇腹管とで構成したものでもよい。この場合、蛇腹管は熱伝導率のよいアルミニウムで形成し、蛇腹管と通路を形成する壁との間に薄いテープ状のアルミニウム箔を充填して熱伝導を良くしてもよい。
このような熱交換器３の場合、前記通路と蛇腹管とのうちの一方に、前記取入れ経路４を構成するダクトを接続し、他方に放出経路５を構成するダクトを接続すればよい。
【００３４】
前記取入れ経路４は、熱交換器３によって熱交換された外気を調湿機２内の調湿材に接触通過させたうえで建物１内に取り入れるものであり、建物１の外部に開口している開口部１ａから延びて前記熱交換器３に接続され、さらに熱交換器３から延びて前記調湿機２の流入口２４ａに接続され、さらに、調湿機２の流出口２４ｂから延びて建物本体１内に設けられた送風口（図示略）に接続されたダクトによって構成されている。
また、このダクトには、前記開口部１ａと熱交換器３との間に送風機６が設けられており、この送風機６によって外気を吸入して、熱交換器３に送り込み、さらに、この熱交換器３によって熱交換された外気を調湿機２内の調湿材に接触通過させたえで建物１内に吹出させるようになっている。
さらに、前記ダクトには、熱交換器３と調湿機２との間に加熱器７（冷却器７´）が設けられており、この加熱器７（冷却器７´）によって、冬季は加熱器７として、また夏季は冷却器７´として作用させ、建物１内の湿度を一定に保持している。
【００３５】
前記放出経路５は、熱交換器３によって熱交換された室内空気を調湿機２内の調湿材に接触通過させたうえで外部に放出するものであり、建物１内に設けられた吸入口（図示略）から延びて前記熱交換器３に接続され、さらに熱交換器３から延びて前記調湿機２の流入口２５ａに接続され、さらに、調湿機２の流出口２５ｂから延びて建物１の外部に開口するダクトによって構成されている。
また、このダクトには、前記建物１の吸入口と熱交換器３との間に送風機９が設けられており、この送風機９によって建物内の室内空気を吸入して、熱交換器３に送り込み、さらに、この熱交換器３によって熱交換された室内空気を調湿機２内の調湿材に接触通過させたえで建物１の外部に放出するようになっている。
さらに、前記ダクトには、熱交換器３と調湿機２との間に加熱器１０（冷却器１０´）が設けられており、この加熱器１０（冷却器１０´）によって、冬季は冷却器１０´として、また夏季は加熱器１０として作用させ、建物１内の湿度を一定に保持している。
【００３６】
また、調湿機２を含む取入れ経路４は調湿機２を含む放出経路５と同圧または放出経路５より高圧に設定されている。つまり、取入れ経路４に設けられた送風機６と、放出経路５に設けられた送風機９のパワーや、取入れ経路４や放出経路５にそれぞれ設けられた図示しないダンパ等の開閉量を調整することによって、取入れ経路４を構成するダクト内の圧力を放出経路５を構成するダクト内の圧力より高圧または同圧に設定し、これによって調湿機２内においても、建物１内に供給すべき空気が通る収容室２２ａ（２２ｂ）の圧力が、建物から取り出された空気が通る収容室２２ｂ（２２ａ）より高圧または同圧となる。
また、調湿機２を含む取入れ経路４を、調湿機２を含む放出経路５と同圧または放出経路５より高圧に設定するには、以下のようにしてもよい。
すなわち、送風機９を放出経路５の最終放出口に位置させるとともに、送風機６を省略し、システム上送風機を１台としてもよい。この場合、建物内１が負圧に保持されるとともに、調湿機２内では、建物１内に供給すべき空気が通る収容室２２ａ（２２ｂ）の圧力が、建物から取り出された空気が通る収容室２２ｂ（２２ａ）より高圧または同圧となる。
また、送風機９を省略し送風機６のみとして、システム上送風機を１台としてもよい。この場合、建物内１が正圧に保持されるとともに、調湿機２内では、建物１内に供給すべき空気が通る収容室２２ａ（２２ｂ）の圧力が、建物から取り出された空気が通る収容室２２ｂ（２２ａ）より高圧または同圧となる。
【００３７】
次に、上記構成の換気装置を用いて建物１内の湿度を一定に保持しつつ換気する方法について冬季と夏季とに分けて説明する。
（１）冬季の場合
図３および図４を参照して説明する。図３は換気装置の概略構成図、図４は温度に対する空気１立方メートルあたりの水蒸気量を示すグラフである。
まず、建物１内の室内空気の温度が２０℃、湿度が５０％、空気１ｍ3に含まれる水分量（重さ）が８．６ｇであると仮定する。この場合、図４に示すグラフではＡ点である。
また、外気の温度が０℃、湿度が２５％、空気１ｍ3に含まれる水分量（重さ）が１．２ｇであると仮定する。この場合、図４に示すグラフではＤ点である。
【００３８】
前記送風機６と送風機９を運転するとともに、送風機６と送風機９のパワーや、取入れ経路４や放出経路５にそれぞれ設けられた図示しないダンパ等の開閉量を調整することによって、取入れ経路４を構成するダクト内の圧力を放出経路５を構成するダクト内の圧力より高圧または同圧に設定する。
外気は送風機６（図１参照）によって取入れ経路４のダクトを流れて熱交換器３に送り込まれる。一方、建物１内の室内空気の一部は送風機９（図１参照）によって放出経路５のダクトを流れて熱交換器３に送り込まれる。
そして、この熱交換器３で外気と室内空気との熱交換が行われ、外気はその温度が上昇し、これに伴って湿度が低下する。さらに、取入れ経路４のダクトを流れる外気は、加熱器７によって加熱されて、温度が約３０℃まで上昇する。図４に示すグラフではＣ点である。温度が約３０℃では湿度が４％に低下する。空気１ｍ3に含まれる水分量は１．２ｇである。
【００３９】
温度３０℃、湿度４％の外気は調湿機２の収容室２２ａに流入し、この収容室２２ａに充填されている調湿材に接触通過したうえで、調湿機２から流出する。収容室２２ａ内の調湿材は、外気が接触することによって放湿し、これによって外気は加湿され、その湿度が上昇する。このときの外気（空気）１ｍ3に含まれる水分量は８．６ｇとなる。そして、温度２０℃において、湿度５０％に調整される外気を取入れ経路４のダクトを通して建物１内に取入れる。この場合、図４に示すグラフではＡ点である。
【００４０】
一方、建物１内の室内空気は、送風機９（図１参照）によって放出経路５のダクトを流れて熱交換器３に送り込まれる。
そして、この熱交換器３で室内空気と外気との熱交換が行われ、室内空気はその温度が低下し、これに伴って湿度が上昇する。この場合、図４に示すグラフではＢ点である。このときの室内空気の温度は８℃、湿度は１００％、室内空気１ｍ3に含まれる水分量は８．６ｇである。
【００４１】
温度８℃、湿度１００％の室内空気は調湿機２の収容室２２ｂに流入し、この収容室２２ｂに充填されている調湿材に接触通過したうえで、調湿機２から流出して、建物１の外部に放出される。収容室２２ｂ内の調湿材は、室内空気が接触することによって吸湿し、これによって排気される室内空気は除湿される。この場合、図４に示すグラフではＥ点である。放出される室内空気１ｍ3に含まれる水分量は１．２ｇである。
【００４２】
そして、調湿機２内の収容室２２ｂ内の調湿材が吸湿して湿潤状態になるとともに、収容室２２ａ内の調湿材が放湿して乾燥状態になったら、回転式容器２２を１８０度回転させて、湿潤状態の調湿材が充填されている収容室２２ｂを、取入れ経路４側つまり放湿側に配置するとともに、乾燥状態の調湿材が充填されている収容室２２ａを放出経路５側つまり吸湿側に配置する工程を繰り返し行う。
このようにして、建物１内から取り出された室内空気を調湿材の吸湿機能によって除湿し、この調湿材に吸収された湿気によって建物１内に取り入れる外気を加湿することによって、建物１内の湿度低下を防止して、建物１内の湿度を一定に保持できる。
【００４３】
（２）夏季の場合
図５および図６を参照して説明する。図５は換気装置の概略構成図、図６は温度に対する空気１立方メートルあたりの水蒸気量を示すグラフである。
まず、建物１内の室内空気の温度が２０℃、湿度が５０％、空気１ｍ3に含まれる水分量（重さ）が８．６ｇであると仮定する。この場合、図６に示すグラフではＣ点である。
また、外気の温度が３０℃、湿度が８０％、空気１ｍ3に含まれる水分量（重さ）が２４．３ｇであると仮定する。この場合、図６に示すグラフではＡ点である。
【００４４】
前記送風機６と送風機９を運転するとともに、送風機６と送風機９のパワーや、取入れ経路４や放出経路５にそれぞれ設けられた図示しないダンパ等の開閉量を調整することによって、取入れ経路４を構成するダクト内の圧力を放出経路５を構成するダクト内の圧力より高圧または同圧に設定する。
外気は送風機６（図１参照）によって取入れ経路４のダクトを流れて熱交換器３に送り込まれる。一方、建物１内の室内空気の一部は送風機９（図１参照）によって放出経路５のダクトを流れて熱交換器３に送り込まれる。
そして、この熱交換器３で外気と室内空気との熱交換が行われ、外気はその温度が低下し、これに伴って湿度が上昇して、温度２６℃、湿度１００％、外気１ｍ3に含まれる水分量が２４．３ｇとなる。図６に示すグラフではＢ点である。
【００４５】
温度２６℃、湿度１００％の外気は調湿機２の収容室２２ａに流入し、この収容室２２ａに充填されている調湿材に接触通過したうえで、調湿機２から流出する。収容室２２ａ内の調湿材は、外気が接触することによって吸湿し、これによって外気は除湿され、その湿度が低下する。このときの外気（空気）１ｍ3に含まれる水分量は８．６ｇとなる。そして、温度２０℃において、湿度５０％に調整される外気を取入れ経路４のダクトを通して建物１内に取入れる。この場合、図６に示すグラフではＣ点である。
【００４６】
一方、建物１内の室内空気は、送風機９（図１参照）によって放出経路５のダクトを流れて熱交換器３に送り込まれる。
そして、この熱交換器３で室内空気と外気との熱交換が行われ、室内空気はその温度が上昇し、これに伴って湿度が低下する。さらに、放出経路５のダクトを流れる室内空気は、加熱器１０によって加熱されて、温度が約４０℃まで上昇する。図６に示すグラフではＤ点である。温度が約４０℃では湿度が１７％に低下する。空気１ｍ3に含まれる水分量は８．６ｇである。
【００４７】
温度４０℃、湿度１７％の室内空気は調湿機２の収容室２２ｂに流入し、この収容室２２ｂに充填されている調湿材に接触通過したうえで、調湿機２から流出して、建物１の外部に放出される。収容室２２ｂ内の調湿材は、室内空気が接触することによって放湿し、これによって排気される室内空気は加湿される。この場合、図６に示すグラフではＥ点である。放出される室内空気１ｍ3に含まれる水分量は２４．３ｇである。
【００４８】
そして、調湿機２内の収容室２２ａ内の調湿材が吸湿して湿潤状態になるとともに、収容室２２ｂ内の調湿材が放湿して乾燥状態になったら、回転式容器２２を１８０度回転させて、湿潤状態の調湿材が充填されている収容室２２ａを、放出経路５側つまり放湿側に配置するとともに、乾燥状態の調湿材が充填されている収容室２２ｂを取入れ経路４側つまり吸湿側に配置する工程を繰り返し行う。
このように建物１内から取り出された室内空気を調湿材の放湿機能によって加湿し、この湿気が放出されて乾燥した調湿材の吸湿機能によって建物１内に取り入れる外気を除湿することによって、建物１内の湿度上昇を防止して、建物１内の湿度を一定に保持できる。
【００４９】
また、冬季および夏季のいずれにおいても、回転式容器２２はそれぞれの収容室２２ａ，２２ｂが吸湿側から放湿側へ、または放湿側から吸湿側へ順次配置されるように回転するので、吸湿側の収容室２２ａ（２２ｂ）においては湿気を吸湿して調湿材が湿潤状態となり、放湿側の収容室２２ｂ（２２ａ）においては湿気を放湿して調湿材が乾燥状態となり再生する。したがって、調湿材を効果的に繰り返して使用できる。また、回転式容器２２は、それぞれの収容室２２ａ，２２ｂが、吸湿側から放湿側へ、または放湿側から吸湿側へ順次配置されるように回転するので、調湿機２を小型化ができ、メンテナンス等も容易である。
【００５０】
さらに、取入れ経路４は放出経路５と同圧または放出経路より高圧に設定されているので、調湿機２内においても、建物内に供給すべき空気が通る収容室２２ａ（２２ｂ）の圧力が、建物内から取り出された空気が通る収容室２２ｂ（２２ａ）より高圧または同圧となる。したがって、調湿機２内において、取入れ経路４を通る新鮮な外気に、放出経路５を通る室内空気が流入して混ざるのを防止でき、よって、新鮮な外気を建物１内に取入れることができる。
加えて、調湿材に接触通過させる空気（冬季においては外気、夏季においては室内空気）を加熱器７（冬季）、加熱器１０（夏季）によって加熱することによって、調湿材からの放湿を促進できるので、この調湿材を素早く乾燥させて再生できる。
【００５１】
図９は本発明に係る換気装置の他の例を示す概略構成図である。
この図に示す換気装置は、建物１内に新鮮な外気を取り入れるとともに、建物１内の室内空気を取り出して外部に放出するものであり、調湿機３２と、熱交換器３と、取入れ経路３４と、放出経路３５とを備えている。
【００５２】
調湿機３２は、吸湿機能を有し、吸湿後は乾燥した空気と接触することによって放湿して再生可能な調湿材が収容されるものであり、以下のような粉体移送式のものである。
すなわち、調湿機３２は、竜巻のような風流を発生させるサイクロン式の収容室３２ａ，３２ｂを備えている。冬季においては、収容室３２ａは放湿側となり、その内部には湿潤状態の調湿材が流入し、また、収容室３２ｂは吸湿側となり、その内部には乾燥状態の調湿材が流入する。一方、夏季においては、収容室３２ａは吸湿側となり、その内部には乾燥状態の調湿材が流入し、収容室３２ｂは放湿側となり、その内部には湿潤状態の調湿材が流入する。
収容室３２ａ，３２ｂでは、それぞれ空気（外気または室内空気）を調湿材に接触させるようになっており、調湿材と接触した空気は上方に放出され、調湿材は下方に取り出すことができるようになっている。
【００５３】
収容室３２ａの下方にはエジェクタ３６が接続されており、このエジェクタ３６は前記放出経路３５を構成するダクトに接続されている。また、収容室３２ｂの下方にはエジェクタ３７が接続されており、このエジェクタ３７は前記取入れ経路３４を構成するダクトに接続されている。
【００５４】
前記取入れ経路３４は、熱交換器３によって熱交換された外気を調湿機３２の収容室３２ｂからの調湿材に接触させ、サイクロン式の収容室３２ａで調湿材と分離したうえで建物１内に取り入れるものであり、建物１の外部に開口している開口部１ａから延びて前記熱交換器３に接続され、さらに熱交換器３から延びて前記調湿機３２の収容室３２ａに接続され、さらに、収容室３２ａから延びて建物本体１内に設けられた送風口（図示略）に接続されたダクトによって構成されている。
また、このダクトには、前記開口部１ａと熱交換器３との間に送風機６が設けられており、この送風機６によって外気を吸入して、熱交換器３に送り込み、さらに、この熱交換器３によって熱交換された外気を調湿機３２の収容室３２ｂからの調湿材に接触させ、サイクロン式の収容室３２ａで調湿材と分離したうえで建物１内に吹出させるようになっている。
さらに、前記ダクトには、熱交換器３と調湿機３２の収容室３２ａとの間に加熱器７がエジェクタ３７の上流側において設けられており、この加熱器７によって、冬季に熱交換器３によって熱交換されて温度上昇した外気をさらに加熱して、調湿機３２の収容室３２ａ内の調湿材の再生を促進させるのに適した温度まで上昇させて、適湿にしたうえで建物１内に吹出させるようになっている。
【００５５】
前記放出経路３５は、熱交換器３によって熱交換された室内空気を調湿機３２の収容室３２ａからの調湿材に接触させ、サイクロン式の収容室３２ｂで調湿材と分離したうえで外部に放出するものであり、建物１内に設けられた吸入口（図示略）から延びて前記前記熱交換器３に接続され、さらに熱交換器３から延びて前記調湿機２の収容室３２ｂに接続され、さらに、収容室３２ｂから延びて建物１の外部に開口するダクトによって構成されている。
また、このダクトには、前記建物１の吸入口と熱交換器３との間に送風機９が設けられており、この送風機９によって建物内の室内空気を吸入して、熱交換器３に送り込み、さらに、この熱交換器３によって熱交換された室内空気を調湿機３２の収容室３２ａからのの調湿材に接触させ、サイクロン式の収容室３２ｂで調湿材と分離したうえで建物１の外部に放出するようになっている。
さらに、前記ダクトには、熱交換器３と調湿機３２の収容室３２ｂとの間に加熱器１０がエジェクタ３６の上流側において設けられており、この加熱器１０によって、夏季に熱交換器３によって熱交換されて温度上昇した前記室内空気をさらに加熱して調湿機３２の収容室３２ｂ内の調湿材の再生を促進させるのに適した温度まで上昇させている。
【００５６】
また、調湿機３２の収容室３２ａと前記エジェクタ３６とはダクト４１によって接続されており、このダクト４１に前記ダンパ３９が設けられている。さらに、調湿機３２の収容室３２ｂと前記エジェクタ３７とはダクト４２によって接続されており、このダクト４２に前記ダンパ４０が設けられている。
したがって、調湿機３２の収容室３２ａと収容室３２ｂとの間で調湿材が移送可能である。つまり、収容室３２ａ内において遠心分離された調湿材はダクト４１を通ってエジェクタ３６に入り込む一方で、エジェクタ３６内では前記送風機９によって圧縮空気が形成され、この圧縮空気とともに調湿材が放出経路３５のダクトを通って収容室３２ｂに移送される。
また、収容室３２ｂ内において遠心分離された調湿材はダクト４２を通ってエジェクタ３７に入り込む一方で、エジェクタ３７内では前記送風機６によって圧縮空気が形成され、この圧縮空気とともに調湿材が取入れ経路３４のダクトを通って収容室３２ａに移送される。
【００５７】
また、前記取入れ経路３４と放出経路３５との間には回転式の回転フィルター４５が設けられている。この回転フィルター４５は外気中に含まれている塵等を除去するものであり、取入れ経路３４の、熱交換器３と加熱器７との間に位置するダクトと、放出経路３５の、収容室３２ｂより下流に位置するダクトとに接続されている。
そして、この回転フィルター４５では、取入れ経路３４のダクトを流れる外気中に含まれている塵等を捕獲した後、放出経路３５のダクト側に回転し、このダクトを通して外部に放出される。
【００５８】
さらに、前記取入れ経路３４と放出経路３５との間には回転式の回転フィルター４６が設けられている。この回転フィルター４６は調湿機３２の収容室３２ａから送り出される空気に含まれている調湿材を除去するものであり、取入れ経路３４の、収容室３２ａと建物１との間に位置するダクトと、放出経路３５の、送風機９と建物１との間に位置するダクトとに接続されている。
そして、この回転フィルター４６では、取入れ経路３４のダクトを流れる外気中に含まれている調湿材を捕獲した後、放出経路３５のダクト側に回転し、このダクトを通して調湿機３２の収容室３２ｂに戻される。
【００５９】
次に、上記構成の換気装置を用いて建物１内の湿度を一定に保持しつつ換気する方法について冬季と夏季とに分けて説明する。
（１）冬季の場合
冬季の場合、調湿機３２の収容室３２ａが放湿側となり、収容室３２ｂが吸湿側となる。
まず、前記送風機６と送風機９を運転するとともに、送風機６と送風機９のパワーや、取入れ経路３４や放出経路３５にそれぞれ設けられたダンパ３８，３９，４０，４３の開閉量を調整することによって、取入れ経路３４を構成するダクト内の圧力を放出経路３５を構成するダクト内の圧力より高圧または同圧に設定する。
外気は送風機６によって取入れ経路３４のダクトを流れて熱交換器３に送り込まれる。一方、建物１内の室内空気の一部は送風機９によって放出経路３５のダクトを流れて熱交換器３に送り込まれる。
【００６０】
そして、この熱交換器３で外気と室内空気との熱交換が行われ、外気はその温度が上昇し、これに伴って湿度が低下する。さらに、取入れ経路４のダクトを流れる外気は、加熱器７によって加熱されて、温度が例えば約３０℃まで上昇し、湿度は４％に低下する。
なお、外気中に含まれている塵等は前記回転フィルター４５によって捕獲除去されたうえで、放出経路３５から外部に放出される。
【００６１】
温度３０℃、湿度４％の外気は収容室３２ｂからの調湿材と接触混合したうえで調湿機３２の収容室３２ａに流入し、収容室３２ａから流出する。収容室３２ａ内では、竜巻のような風流を発生しており、これによって、外気が調湿材と満遍なく接触する。調湿材は、外気が接触（収容室３２ａ内での接触およびエジェクタ３７と収容室３２ａとの間の取入れ経路３４のダクト中での接触）することによって放湿し、これによって外気は加湿され、その湿度が上昇する。
そして、温度２０℃において、湿度５０％に調整される外気を取入れ経路３４のダクトを通して建物１内に取入れる。この際、外気中には前記収容室３２ａ内の一部の調湿材が含まれている場合があるが、この調湿材は回転式フィルター４６によって捕獲された後、放出経路３５のダクト側に回転し、このダクトを通して調湿機３２の収容室３２ｂに戻される。
【００６２】
一方、建物１内の室内空気は、送風機９によって放出経路３５のダクトを流れて熱交換器３に送り込まれる。
そして、この熱交換器３で室内空気と外気との熱交換が行われ、室内空気はその温度が低下し、これに伴って湿度が上昇する。このときの室内空気の温度は８℃、湿度は１００％である。
【００６３】
温度８℃、湿度１００％の室内空気は収容室３２ａからの調湿材と接触混合したうえで調湿機３２の収容室３２ｂに流入し、収容室３２ｂから流出して、建物１の外部に放出される。収容室２２ｂ内では竜巻のような風流を発生しており、これによって、室内空気が調湿材と満遍なく接触する。調湿材は、室内空気が接触（収容室３２ｂ内での接触およびエジェクタ３６と収容室３２ｂとの間の放出経路３５のダクト中での接触）することによって吸湿し、これによって排出される室内空気は除湿される。
【００６４】
そして、放湿側の収容室３２ａと吸湿側の収容室３２ｂとの間で調湿材が移送可能であるので、吸湿側の収容室３２ｂにおいて湿気を吸湿して湿潤状態となった調湿材は、放湿側の収容室３２ａにダクト４２、エジェクタ３７、取入れ経路３４のダクトを通して移送される。
また、この放湿側の収容室３２ａにおいて湿気を放出して調湿材が乾燥状態となり再生し、この再生した調湿材が吸湿側の収容室３２ｂにダクト４１、エジェクタ３６、放出経路３５のダクトを通して移送される。したがって、調湿材を効果的に繰り返して使用できる。
このようにして、建物１内から取り出された室内空気は調湿材の吸湿機能によって除湿され、この調湿材に吸収された湿気によって建物１内に取り入れる外気を加湿することによって、建物１内の湿度低下を防止して、建物１内の湿度を一定に保持できる。
【００６５】
また、送風機６によって取り込まれる外気の量を例えば数値の「１０」と仮定すると、送風機９によって取り出される室内空気の量が「１０」となるように、前記ダンパ３８，３９，４０，４３の開閉量や送風機６，９のパワーを調整する。
例えば、送風機６によって取り込まれる外気（空気）の量を例えば「１０」とすると、この空気は、前記ダクト４２を通ってエジェクタ３７から流入する「５」の調湿材と合流して「１５」の混合体（空気と調湿材）となる。そして、この「１５」の混合体が収容室３２ａに送り込まれ、その一部は「１０」の空気となって、建物１内に送り込まれる。一方、残りの「５」の調湿材はダクト４１を通って、エジェクタ３６から放出経路３５のダクトに流入する。
送風機９によって取り出される室内空気の量を「１０」とすると、この「１０」の空気と、前記エジェクタ３６から放出経路３５のダクトに流入した「５」の調湿材とが合流して「１５」の混合体（空気と調湿材）となる。そして、この「１５」の混合体が収容室３２ｂに送り込まれ、その一部は「１０」の空気となって外部に放出される。一方、残りの「５」の調湿材はダクト４２を通って、エジェクタ３７から取入れ経路３４のダクトに流入する。
上記のように建物１内における空気と調湿材の出入りの収支が合うように、ダンパ３８，３９，４０，４３の開閉量および送風機６，９のパワーを調整する。
【００６６】
（２）夏季の場合
夏季の場合、調湿機３２の収容室３２ａが吸湿側となり、収容室３２ｂが放湿側となる。
まず、前記送風機６と送風機９を運転するとともに、送風機６と送風機９のパワーや、取入れ経路３４や放出経路３５にそれぞれ設けられたダンパ３８，３９，４０，４３の開閉量を調整することによって、取入れ経路３４を構成するダクト内の圧力を放出経路３５を構成するダクト内の圧力より高圧または同圧に設定する。
外気は送風機６によって取入れ経路３４のダクトを流れて熱交換器３に送り込まれる。一方、建物１内の室内空気の一部は送風機９によって放出経路３５のダクトを流れて熱交換器３に送り込まれる。
【００６７】
そして、この熱交換器３で外気と室内空気との熱交換が行われ、外気はその温度が低下し、これに伴って湿度が上昇して、温度２６℃、湿度１００％となる。なお、外気中に含まれている塵等は前記回転フィルター４５によって捕獲除去されたうえで、放出経路３５から外部に放出される。
【００６８】
温度２６℃、湿度１００％の外気は収容室３２ｂからの調湿材と接触混合したうえで、収容室３２ａに流入し、収容室３２ａから流出する。収容室３２ａ内では竜巻のような風流を発生しており、これによって、外気が調湿材と満遍なく接触する。調湿材は、外気が接触（収容室３２ａ内での接触およびエジェクタ３７と収容室３２ａとの間の取入れ経路３４のダクト中での接触）することによって吸湿し、これによって外気は除湿され、その湿度が低下する。そして、温度２０℃において、湿度５０％に調整される外気を取入れ経路３４のダクトを通して建物１内に取入れる。この際、外気中には前記収容室３２ａ内の一部の調湿材が含まれている場合があるが、この調湿材は回転式フィルター４６によって捕獲された後、放出経路３５のダクト側に回転し、このダクトを通して調湿機３２の収容室３２ｂに戻される。
【００６９】
一方、建物１内の室内空気は、送風機９によって放出経路３５のダクトを流れて熱交換器３に送り込まれる。
そして、この熱交換器３で室内空気と外気との熱交換が行われ、室内空気はその温度が上昇し、これに伴って湿度が低下する。さらに、放出経路３５のダクトを流れる外気は、加熱器１０によって加熱されて、温度が約４０℃まで上昇する。温度が約４０℃では湿度が１７％に低下する。
【００７０】
温度４０℃、湿度１７％の室内空気は収容室３２ａからの調湿材と接触混合したうえで、調湿機３２の収容室３２ｂに流入し、収容室３２ｂから流出して、建物１の外部に放出される。収容室３２ｂ内では竜巻のような風流を発生しており、これによって、室内空気が調湿材と満遍なく接触する。調湿材は、室内空気が接触（収容室３２ｂ内での接触およびエジェクタ３６と収容室３２ｂとの間の放出経路３５のダクト中での接触）することによって放湿し、これによって排出される室内空気は加湿される。
【００７１】
そして、放湿側の収容室３２ｂと吸湿側の収容室３２ａとの間で調湿材が移送可能であるので、吸湿側の収容室３２ａにおいて湿気を吸湿して湿潤状態となった調湿材は、放湿側の収容室３２ｂにダクト４１、エジェクタ３６、放出経路３５のダクトを通して移送される。
また、この放湿側の収容室３２ｂにおいて湿気を放出して調湿材が乾燥状態となり再生し、この再生した調湿材が吸湿側の収容室３２ａにダクト４２、エジェクタ３７、取入れ経路３４のダクトを通して移送される。したがって、調湿材を効果的に繰り返して使用できる。
【００７２】
このように建物１内から取り出され、排出される室内空気は調湿材の放湿機能によって加湿される。この湿気が放出されて乾燥した調湿材の吸湿機能によって建物１内に取り入れる外気を除湿することによって、建物１内の湿度上昇を防止して、建物１内の湿度を一定に保持できる。
なお、建物１内における空気の出入りの収支が合うように、ダンパ３８，３９，４０，４３の開閉量および送風機６，９のパワーを冬季の場合と同様にして調整するのは勿論のことである。
また、調湿材に接触させる空気（冬季においては外気、夏季においては室内空気）を加熱器７（冬季）、加熱器１０（夏季）によって加熱することによって、調湿材からの放湿を促進できるので、この調湿材を素早く乾燥させて再生できる。
【図面の簡単な説明】
【００７３】
【図１】本発明に係る換気装置の一例を示すもので、換気装置の概略構成図である。
【図２】同、調湿機を示すもので、（ａ）は調湿機の平面図、（ｂ）は調湿機の側断面図である。
【図３】同、冬季における換気装置の概略構成図である。
【図４】同、冬季における換気方法を説明するためのもので、温度に対する空気１立方メートルあたりの水蒸気量を示すグラフである。
【図５】同、夏季における換気装置の概略構成図である。
【図６】同、夏季における換気方法を説明するためのもので、温度に対する空気１立方メートルあたりの水蒸気量を示すグラフである。
【図７】同、調湿材の吸湿と放湿（再生）の繰返し実験を行った結果を示すグラフである。
【図８】同、調湿材の湿度による水分吸着量と脱離量の変化を示すグラフである。
【図９】本発明に係る換気装置の他の例を示すもので、換気装置の概略構成図である。
【符号の説明】
【００７４】
１  建物
２，３２  調湿機
３  熱交換器
４，３４  取入れ経路
５，３５  放出経路
６，９  送風機
７，１０  加熱器
７´，１０´  冷却器
２２  回転式容器
２２ａ，２２ｂ  収容室
３２ａ，３２ｂ  収容室
３６，３７  エジェクタ
【図１】
2005164184.tif 000005
【図２】
2005164184.tif 000006
【図３】
2005164184.tif 000007
【図４】
2005164184.tif 000008
【図５】
2005164184.tif 000009
【図６】
2005164184.tif 000010
【図７】
2005164184.tif 000011
【図８】
2005164184.tif 000012
【図９】
2005164184.tif 000013